(57)【要約】  【課題】舗装機本体上に座るオペレータによるスクリュースプレッダ周辺における確認作業を妨げずに、オペレータ側に流れる煙霧を低減可能な煙霧減少装置を備えるアスファルト舗装機械を提供する。  【解決手段】オペレータステーションに向かう煙霧を減少させる煙霧減少装置２２を備えるアスファルト舗装機械であって、煙霧減少装置２２は、舗装機本体１３の後面に吸い込み口２４を設けると共にオペレータステーションから離れた位置に排出口を設けてなる排煙ダクトと、吸い込み口２４から煙霧を排煙ダクト内に強制的に吸い込み、排出口から強制的に排出する強制空気流を生成するファンと、下面に煙霧捕捉用開口２７ｃを設けて吸い込み口２４の上側を覆い、舗装機本体１３の後面にスクリード１５の前面側に突出して設けられたフード２７と、を備え、フード２７は、屋根にフード２７の内部へ通じるスリット２８を設けてなる。【選択図】図３
2014139388.tif 000002
【特許請求の範囲】
【請求項１】
後側上部にオペレータステーションを有する舗装機本体と該舗装機本体の後方に配設されたスクリードの間を通る煙霧を捕捉し、前記オペレータステーションに向かう煙霧を減少させる煙霧減少装置を備えるアスファルト舗装機械において、
前記煙霧減少装置は、
前記舗装機本体の後面に吸い込み口を設けると共に前記オペレータステーションから離れた位置に排出口を設けてなる排煙ダクトと、
前記吸い込み口から前記煙霧を前記排煙ダクト内に強制的に吸い込み、前記排出口から強制的に排出する強制空気流を生成するファンと、
下面に煙霧捕捉用開口を設けて前記吸い込み口の上側を覆い、前記舗装機本体の後面に前記スクリードの前面側に突出して設けられたフードと、を備え、
前記フードは、屋根にフード内部へ通じるスリットを設けてなることを特徴とするアスファルト舗装機械。
【請求項２】
上記フードは、モータの一部が左右両側に突出して設けられているスプレッダアームと隣り合わせで、かつ前記モータの突出部分を包括する上部位置に、上記舗装機本体の後面上部から上記スクリード側に向かって略水平に延びるようにして設けられた第１のフードと、前記スプレッダアームと反対側の位置で前記第１のフードと隣り合わせで前記舗装機本体の後面上部から前記スクリード側に向かって斜め下方に突出して設けられた断面概略三角形をした第２のフードとでなり、上記スリットは、前記第１のフードの水平屋根面と前記第２のフードの斜め下方に突出した屋根面との段差により形成されていることを特徴とするアスファルト舗装機械。
【請求項３】
前記排煙ダクト内には、該排煙ダクト内を通過する前記煙霧中に含まれる浮遊粒子状物質等の煤塵を収集除去する集塵手段を配設してなることを特徴とする請求項１記載のアスファルト舗装機械。
【発明の詳細な説明】
【技術分野】
【０００１】
本発明はアスファルト舗装機械に関するものであり、特に、機械のオペレータに対してアスファルト合材から発散する有害な煙霧(ヒューム)の影響を低減させることが可能な煙霧減少装置を備えるアスファルト舗装機械に関するものである。
【背景技術】
【０００２】
従来、アスファルト合材を施工基面上に敷設して硬い道路表面を形成するのに、アスファルトフィニッシャ等のアスファルト舗装機械が使用されている。
【０００３】
一般に、この種のアスファルト舗装機械は、後側上部に運転席を設けたオペレータステーションを有する舗装機本体と、該舗装機本体の前側に配設された合材を収容する合材ホッパーと、該舗装機本体内に設けられて前記合材ホッパー内のアスファルト合材を該舗装機本体の後側へ搬送するフィーダと、該フィーダにより送られて来たアスファルト合材を前記舗装機本体の後側で施工基面(舗装面)上に撒き拡げるスクリュースプレッダと、該スクリュースプレッダで撒き拡げられたアスファルト合材を所定の厚さに引き均すスクリード等を備え、前記合材ホッパー内のアスファルト合材を前記フィーダで前記スクリュースプレッダ上へ搬送し、そのアスファルト合材を該スクリュースプレッダにて施工基面上に所定の舗装幅で均一に敷き並べた後、前記スクリードにより所定の厚さに敷き均すようになっている。
【０００４】
このようなアスファルト合材を使用するアスファルト舗装機械での欠点は、アスファルト合材が加熱されたときに、アスファルト合材中に含まれる石油蒸留生成物が悪臭等を有する煙霧を発生することにある。また、この煙霧には、窒素、硫黄、ベンゼン、及び他の炭化水素物質を含んでいる。これら物質の多くは、アスファルト舗装機械の極近くで長時間過ごす、アスファルト舗装機械を運転しているオペレータの身体に害を及ぼす虞がある。また、そのオペレータに向かう煙霧の多くは、舗装機本体の後面とスクリードの前面との間に設けられるスクリュースプレッダの上部隙間からのものである。
【０００５】
そこで、従来、舗装機本体の後面とスクリードの前面との間の隙間の略全体を塞ぐようにして、すなわちスクリュースプレッダの上側全体を覆い被せるようにして大きなフードを取り付けるとともに、そのフードの内側に吸い込み口を有する排煙装置を設け、舗装機本体の後面とスクリードの前面との間の隙間領域内に発散された煙霧をフードで捕捉し、捕捉した煙霧を排煙装置でオペレータの離れた位置に送って大気中に消散させ、オペレータへの煙霧の影響を少なくなるようにしたアスファルト舗装機械も提案されている（例えば、特許文献１参照）。
【先行技術文献】
【特許文献】
【０００６】
【特許文献１】特表２００１−５２６７５１号公報。
【発明の概要】
【発明が解決しようとする課題】
【０００７】
しかしながら、特許文献１に記載される技術のように、舗装機本体の後面とスクリードの前面との間に、スクリュースプレッダの上側全体を覆い被せるようにして大きなフードを取り付けているアスファルト舗装機械では、オペレータステーション上で運転操作をしているオペレータが、スクリュースプレッダによるアスファルト合材の撒き拡げ状態等を目視しようとしたとき、その大きなフードが邪魔をして目視の妨げになるという問題点があった。
【０００８】
そこで、舗装機本体上に座るオペレータによるスクリュースプレッダ周辺における確認作業を妨げずに、オペレータ側に流れる煙霧を低減することが可能な煙霧減少装置を備えるアスファルト舗装機械を提供するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、後側上部にオペレータステーションを有する舗装機本体と該舗装機本体の後方に配設されたスクリードの間を通る煙霧を捕捉し、前記オペレータステーションに向かう煙霧を減少させる煙霧減少装置を備えるアスファルト舗装機械において、前記煙霧減少装置は、前記舗装機本体の後面に吸い込み口を設けると共に前記オペレータステーションから離れた位置に排出口を設けてなる排煙ダクトと、前記吸い込み口から前記煙霧を前記排煙ダクト内に強制的に吸い込み、前記排出口から強制的に排出する強制空気流を生成するファンと、下面に煙霧捕捉用開口を設けて前記吸い込み口の上側を覆い、前記舗装機本体の後面に前記スクリードの前面側に突出して設けられたフードと、を備え、前記フードは、屋根にフード内部へ通じるスリットを設けてなるアスファルト舗装機械を提供する。
【００１０】
この構成によれば、ファンが駆動されて強制空気流が生成されると、フード内の空気が吸い込み口から排煙ダクト内に順次吸い込まれて、フード内側が負圧になる。したがって、フードが取り付けられた舗装機本体の後面とスクリードの間を通過してオペレータステーション側に流れようとする煙霧は、フードとスクリードの間を通過するとき、負圧状態にあるフード内に下面の煙霧捕捉用開口から吸い込まれる。また、煙霧捕捉用開口の部分で吸い込まれずに、フードの屋根側に向かった一部の吸い残しの煙霧は、その屋根伝いにスリット側に向かい、そのスリットを通ってフード内に吸い込まれる。これらフード内に吸い込まれた煙霧は、さらに強制空気流に乗って吸い込み口から排煙ダクト内に入り、オペレータステーションから離れた位置に設けられている排出口から大気中に放出される。
【００１１】
これにより、舗装機本体の後面とスクリードとの間の隙間を通過してオペレータステーション側へ直接流れる煙霧の量は激減され、オペレータに対する煙霧の悪影響を減少させることができる。このようにして、フードの屋根にスリットを設けることによって煙霧の回収率を上げることができるので、従来使用していたような大きなフードではなく、小さなフードで、特にオペレータが全体を視認できるように幅方向に細長いフードで対応することが可能になる。
【００１２】
また、請求項２記載の発明は、請求項１記載の構成において、上記フードは、モータの一部が左右両側に突出して設けられているスプレッダアームと隣り合わせで、かつ前記モータの突出部分を包括する上部位置に、上記舗装機本体の後面上部から上記スクリード側に向かって略水平に延びるようにして設けられた第１のフードと、前記スプレッダアームと反対側の位置で前記第１のフードと隣り合わせで前記舗装機本体の後面上部から前記スクリード側に向かって斜め下方に突出して設けられた断面概略三角形をした第２のフードとでなり、上記スリットは、前記第１のフードの水平な屋根面と前記第２のフードの斜め下方に突出した屋根との段差により形成されているアスファルト舗装機械を提供する。
【００１３】
この構成によれば、第１のフードは、舗装機本体の後面上部からスクリード側に向かって略水平に延び、スプレッダアームに取り付けられたモータの上方に設けられている。したがって、スプレッダアームを上方に移動させたときに、スプレッダアームの左右両側に突出しているモータの一部が、第１フードとぶつかるまでの距離を大きく取ることができ、スプレッダアームの操作がし易くなる。
【００１４】
また、請求項３記載の発明は、請求項１または２記載の構成において、前記排煙ダクト内には、該排煙ダクト内を通過する前記煙霧中に含まれる浮遊粒子状物質等の煤塵を収集除去する集塵手段を配設してなるアスファルト舗装機械を提供する。
【００１５】
この構成によれば、煙霧減少装置の排煙ダクト内に吸引された煙霧は、排煙ダクト内を通過するとき、煙霧中に含まれる浮遊粒子状物質等の有害な煤塵が集塵手段により収集除去され、その後、排出口を通して大気中に消散されるので、大気汚染の防止が図れる。
【発明の効果】
【００１６】
請求項１記載の発明は、舗装機本体の後面からスクリード側に突出して設けられるスクリードを小形化することができるので、フードがオペレータの視界の邪魔になるのを少なくすることができる。したがって、オペレータは、舗装機本体の後面とスクリードの前面との間での、スクリュースプレッダによるアスファルト合材の撒き拡げ状態や周辺の状況を瞬時に見て判断することができるので、作業性の向上が期待できる。
【００１７】
請求項２記載の発明は、スプレッダアームの左右両側に突出しているモータの一部がフードとぶつかるまでの距離が大きく取れるので、スプレッダアームを大きく動かすことが可能になり、請求項１の発明の効果に加えて、スプレッダアームの設計の自由度が増す効果が期待できる。
【００１８】
請求項３記載の発明は煙霧内に含まれる浮遊粒子状物質等の有害な煤塵を集塵手段により収集除去した後、排出口を通して大気中に消散されるので、請求項１及び２の発明の効果に加えて、大気汚染の防止が図れるとともに、さらに作業環境の改善が図れる。
【図面の簡単な説明】
【００１９】
【図１】本発明の実施形態に係るアスファルト舗装機械の側面図。
【図２】スクリードの前面側から見た舗装機本体の後側面概略構成図。
【図３】同上アスファルト舗装機械のフードを示す斜視図。
【図４】図３のＡ−Ａ線断面に相当し、煙霧減少装置の動作説明する図。
【発明を実施するための形態】
【００２０】
本発明は、舗装機本体上で作業をするオペレータがスクリュースプレッダ周辺の状態を確認するための作業を妨げることなく、オペレータに影響を及ぼす煙霧を低減することが可能なアスファルト舗装機械を提供するという目的を達成するために、後側上部にオペレータステーションを有する舗装機本体と該舗装機本体の後方に配設されたスクリードの間を通る煙霧を捕捉し、前記オペレータステーションに向かう煙霧を減少させる煙霧減少装置を備えるアスファルト舗装機械において、前記煙霧減少装置は、前記舗装機本体の後面に吸い込み口を設けると共に前記オペレータステーションから離れた位置に排出口を設けてなる排煙ダクトと、前記吸い込み口から前記煙霧を前記排煙ダクト内に強制的に吸い込み、前記排出口から強制的に排出する強制空気流を生成するファンと、下面に煙霧捕捉用開口を設けて前記吸い込み口の上側を覆い、前記舗装機本体の後面に前記スクリードの前面側に突出して設けられたフードと、を備え、前記フードは、屋根にフード内部へ通じるスリットを設けたことにより実現した。
【００２１】
以下、本発明を実施するための形態(以下、「実施形態」という)を、添付図面に基づいて詳細に説明する。
【実施例】
【００２２】
図１及び図２は本発明に係るアスファルト舗装機械としてのアスファルトフィニッシャを示すもので、図１はその外観側面図、図２はスクリードの前面側から見た舗装機本体の後側面図である。なお、以下の説明において、図１の左右方向左側（矢印Ｄ）をアスファルト舗装機械の前方、右側を後方とし、また上下方向を上下、紙面に垂直な方向を左右として説明する。
【００２３】
同図において、該アスファルトフィニッシャ１１は、舗装用材料であるアスファルト合材を収容する合材ホッパー１２を前側に配設した舗装機本体としての走行車体１３(以下、「舗装機本体１３」という)と、この舗装機本体１３に左右のレベリングアーム１４で牽引され、アスファルト合材を敷き均して施工基面(舗装面)を平滑に仕上げる左右で一対のスクリード１５とから構成される。なお、図１中の矢印Ｄはアスファルトフィニッシャ１１の進行方向を示す。
【００２４】
また、前記舗装機本体１３には、合材ホッパー１２内のアスファルト合材を該舗装機本体１３の後側へ搬送するフィーダ(図示せず)が該舗装機本体１３のほぼ全長に亘って設けられている。さらに、該舗装機本体１３には、舗装機本体１３の後面１３ａとスクリード１５の前面との間に位置して(図１参照)、アスファルト合材を施工基面上に撒き拡げる左右で一対のスクリュースプレッダ１６,１６(図２参照)が設けられている。
【００２５】
このスクリュースプレッダ１６,１６は、上下方向に回動可能なスプレッダアーム１７を介して上下方向に移動可能に取り付けられている。また、図２に示すように、スプレッダアーム１７の上部には、スクリュースプレッダ１６の駆動源としてのモータ１８が、そのモータ１８の一部を該スプレッダアーム１７の左右両側に突出させた状態にして取り付けられている。
【００２６】
さらに、前記舗装機本体１３の後側上部には、アスファルトフィニッシャ１１の運転を操作するオペレータが座る運転席１９,１９を取り付けてなる、オペレータステーション２０が設けられている。また、そのオペレータステーション２０の前側上部には、該舗装機本体１３の内部に搭載されているエンジン(図示せず)の排ガスを排出するための排ガス用煙突２１が、上方に向かって大きく突出された状態にして設けられている。
【００２７】
そして、このアスファルトフィニッシャ１１では、加熱されたアスファルト合材が、ダンプカーにより運ばれて来てホッパー１２に積み込まれる。また、ホッパー１２に積み込まれたアスファルト合材は、前記フィーダにより舗装機本体１３の後方へ、スクリュースプレッダ１６,１６上に落下するまで送られる。スクリュースプレッダ１６,１６は、モータ１８により駆動されるスクリュー軸の回転でスクリュー羽根１６ａを回転させ、前記フィーダにより送り込まれたアスファルト合材を後方のスクリード１５の前部全幅(左右方向幅)に亘って均一に撒き拡げる。一方、スクリード１５は、スクリュースプレッダ１６,１６により舗装面に撒き拡げられたアスファルト合材を敷き均して施工基面上を平滑に仕上げる。
【００２８】
以上は、従来から知られているアスファルトフィニッシャ１１の基本構成及び動作である。次に、本発明のアスファルトフィニッシャ１１の最も特徴とする構造を説明する。本発明のアスファルトフィニッシャ１１の最も特徴とする構造は、図１に示すように、前記舗装機本体１３と前記スクリード１５との間の隙間に煙霧減少装置２２を設けた点にある。この煙霧減少装置２２は、前記舗装機本体１３と前記スクリード１５の間で発散したアスファルト合材の煙霧２３(図１中に矢印でその流れを模式的に示す)が前記オペレータステーション２０へ向かうのを減少させる。
【００２９】
更に詳述すると、前記煙霧減少装置２２は、舗装機本体１３の後面１３ａに吸い込み口２４を設け、かつオペレータステーション２０から離れた位置に排出口２５を設けてなる排煙ダクト２６と、舗装機本体１３の後面１３ａとスクリード１５の前面との間に施工基面側から前記オペレータステーション１８に向かう前記煙霧２３を捕捉するためのフード２７と、等で構成されている。なお、前記排煙ダクト２５の吸い込み口２４は、図２に示すように前記スプレッダアーム１７を挟んで左右に１個ずつ、合計２個設けられている。その口形状は円形であるが、四角等、自由な形状にしてよいものである。
【００３０】
前記フード２７は、図２に示すように、前記スプレッダアーム１７を挟んで左右対称な関係で左右に１個ずつ、合計２個設けられ、舗装機器本体１３のほぼ左右の幅全体に亘って設けられている。
【００３１】
前記各フード２７、２７は、図２、図３に示すように、第１のフード２７Ａと第２のフード２７Ｂとでなる。その中、第１のフード２７Ａは、スクリュースプレッダ１６を回転駆動するモータ１８の一部が左右両側に突出して設けられているスプレッダアーム１７と隣り合わせで、かつモータ１８の突出部分を包括する位置、すなわち該突出部分を覆った上方の位置に、図３及び図４に示すように屋根が舗装機本体１３の後面１３ａ上部からスクリード１５側に向かって略水平に延びるようにして設けられている。他方の第２のフード２７Ｂは、前記スプレッダアーム１７と反対側の位置で、また該第１のフード２７Ａと隣り合わせの位置に設けられ、屋根が舗装機本体１３の後面１３ａ上部からスクリード１５側に向かって斜め下方に突出して設けられ、全体として断面概略三角形をして形成されている。
【００３２】
また、各フード２７Ａ、２７Ｂの下面は、煙霧捕捉用開口２７ｃとして各々開口されている。さらに、各フード２７Ａ、２７Ｂの後面も各々開口されており、各フード２７Ａ、２７Ｂが舗装機本体１３の後面１３ａに当接配置されていることによって、その後面は舗装機本体１３の後面１３ａにより閉じられている。また、各フード２７Ａ、２７Ｂの境の部分、すなわち隣り合わせとなった部分には、第１のフード２７Ａの屋根が水平方向、第２のフード２７Ｂの屋根が斜め下方に傾いて形成されていることにより、第１のフード２７Ａと第２のフード２７Ｂとの境の部分に、図２、図３に示すように、側面視Ｖ字状をしたスリット２８が形成されている。そして、前記排煙ダクト２６の吸い込み口２４は、図２に示すように、第１のフード２７Ａと第２のフード２７Ｂの境の近傍部分に設けられており、各フード２７Ａ、２７Ｂとによって、その上部が覆われている。
【００３３】
一方、前記排煙ダクト２６の他端側の排出口２５には煙霧吐出用煙突２９が取り付けられ、この煙霧吐出用煙突２９が舗装機本体１３の前側上部から上方に向かって大きく突出し、オペレータステーション２０の運転席１９に座ってアスファルトフィニッシャ１１の運転を操作するオペレータが煙霧２３の影響を受けにくい状態にしている。したがって、排煙ダクト２６の排出口２５は、実質的には煙霧吐出用煙突２９の上部開口となる。
【００３４】
また、図１に示すように、排煙ダクト２６の途中には、煙霧２３を吸い込み口２４から吸い込み、かつ排出口２５から排出する強制空気流を排煙ダクト２６内に形成するための電動または油圧型モータのファン３０と、排煙ダクト２６内を通過する煙霧２３の中に含まれる例えば窒素、硫黄、ベンゼン、及び他の炭化水素物質等の浮遊粒子状物質の煤塵を収集除去する集塵手段３１が配設されている。
【００３５】
次に、上記のように構成された煙霧減少装置２２の作用を説明する。まず、アスファルトフィニッシャ１１が駆動され、ホッパー１２からフィーダにより舗装機本体１３とスクリード１５の間のスクリュースプレッダ１６、１６にアスファルト合材が送り込まれると、そのアスファルト合材がスクリュースプレッダ１６,１６により被舗装面に掻き拡げられる。このアスファルト合材は加熱されているので、そのアスファルト合材中に含まれる石油蒸留生成物により、悪臭を有した煙霧が舗装機本体１３とスクリード１５の間に発生する。
【００３６】
また、煙霧減少装置２２のファン３０が駆動されると、吸い込み口２４から空気を吸い込み、排出口２５を通って煙霧吐出用煙突２９から排出する強制空気流が生成され、フード２７内が負圧になる。したがって、フード２７が取り付けられた舗装機本体１３の後面１３ａとスクリード１５の間を通過してオペレータステーション２０側へ流れようとする煙霧は、フード２７とスクリード１５の間を通過するとき、負圧状態にあるフード２７内に、下面の煙霧捕捉用開口２７ｃ、２７ｃからそのほとんどが吸い込まれて捕捉される。ここで、フード２７内に吸い込まれた煙霧２３は、図４中に実線で示す。
【００３７】
一方、煙霧捕捉用開口２７ｃ、２７ｃの部分で吸い込まれずに、第１のフード２７Ａ、第２のフード２７Ｂの屋根側にそれぞれ向かった、図４中に点線で示す吸い残しの煙霧２３は、その屋根伝いにスリット２８側へ向かい、スリット２８を通ってフード２７内に吸い込まれて捕捉され、これが吸い込み口２４から排煙ダクト２６内に吸い込まれるとともに、オペレータステーション２０から離れた位置に設けられている煙霧吐出用煙突２９から大気中に放出される。
【００３８】
これにより、舗装機本体１３の後面１３ａとスクリード１５の間を通過してオペレータステーション２０側へ直接流れる煙霧の量は激減され、オペレータに対する煙霧の悪影響を減少させることができる。このようにして、スリット２８をフードの屋根、すなわち第１のフード２７Ａと第２のフード２７Ｂとの間に設けることにより、煙霧の回収率を上げることができる。
【００３９】
また、煙霧の回収率が上がることにより、従来のアスファルトフィニッシャで設けていたような大きなフード、すなわち舗装機本体１３の後面１３ａとスクリード１５の間の隙間全体を覆うような大きさフードを設ける必要がなくなり、フードの形状を小さく、特にオペレータが全体を視認できるように幅方向に細長いフードで対応することができる。これにより、フード２７とスクリード１５の間の隙間を大きく確保することができ、クリュースプレッダ１６によるアスファルト合材の撒き拡げ状態や、その周辺の状況をオペレータが見て瞬時に判断することができるので、作業性の向上に寄与できる。
【００４０】
また、第１のフード２７Ａを、舗装機本体１３の後面１３ａの上部からスクリード１５側に向かって略水平に延ばし、スプレッダアーム１７に取り付けられたモータ１８の上方に設けているので、スプレッダアーム１７を上方に移動させたときに、スプレッダアーム１７の左右両側に突出しているモータ１８の一部が第１フード２７Ａとぶつかるまでの距離が大きく取れることになり、スプレッダアーム１７の操作がし易くなる。
【００４１】
さらに、排煙ダクト２５内に集塵手段３９を設けて、排煙ダクト２５内を通る煙霧２０の中に含まれる浮遊粒子状物質等の有害な煤塵を収集除去した後、排出口２４を通して大気中に消散するようにしているので、大気汚染の防止と作業環境の改善が図れる。
【００４２】
なお、本発明は、本発明の精神を逸脱しない限り種々の改変を為すことができ、そして、本発明が該改変されたものに及ぶことは当然である。
【産業上の利用可能性】
【００４３】
本発明はアスファルト合材を使用するアスファルトフィニッシャ全般に応用できる。
【符号の説明】
【００４４】
１１      アスファルトフィニッシャ
１２      ホッパー
１３      走行車体(舗装機本体)
１３ａ    舗装機本体の後面
１４      レベリングアーム
１５      スクリード
１６      スクリュースプレッダ
１６ａ    スクリュー羽根
１７      スプレッダアーム
１８      モータ
１９      運転席
２０      オペレータステーション
２１      排ガス用煙突
２２      煙霧減少装置
２３      煙霧
２４      吸い込み口
２５      排出口
２６      排煙ダクト
２７      フード
２７Ａ    第１のフード
２７Ｂ    第２のフード
２７ｃ    煙霧捕捉用開口
２８      スリット
２９      煙霧吐出用煙突
３０      ファン
３１      集塵手段
【図１】
2014139388.tif 000003
【図２】
2014139388.tif 000004
【図３】
2014139388.tif 000005
【図４】
2014139388.tif 000006